(57)【要約】【課題】看板等に代表される表示装置の、広告などの掲示物に加工等を施すことなく、表示パネル内の広告紙の交換作業性を失わずに、表示パネルの防水性を向上させることを課題とする。【解決手段】パネル両側面の枠内に設ける弾性体の断面形状を略半円形とし、平面部を枠への固定部とし、弾性体の長手方向であって、前記平面部と平行に溝を設けることで、溝底部を支点に回動可能とし、溝の回動部側の面にプレートを取り付け、プレートの一端にレバーを設けて、弾性体の固定部を枠内の固定面へ固定し、枠の背面側又は背面パネルに、レバーの掛止部を設け、レバーを回動させると弾性体の溝底部を支点に弾性体が回動し、レバーを掛止部へ固定すると、弾性体の回動部がパネルと密着することで、水の侵入を防止することを特徴としている。【選択図】図６
2014044241.tif 000002
【特許請求の範囲】
【請求項１】
表示パネルの少なくとも天面及び両側面を枠で固定し、両側面の枠が断面形状コの字型で、枠内にパネル固定用の弾性体を設けた表示装置において、パネル両側面の枠内に設ける弾性体の断面形状を略半円形とし、平面部を枠への固定部として枠内の固定面へ固定し、前記平面部と平行に溝を設け、溝の回動側の面にプレートを取り付け、プレートの一端にレバーを設けて、枠の背面側又は裏ふたにレバーの掛止部を設け、レバーを回動させると弾性体の溝底部を支点に弾性体が回動して、弾性体の回動部がパネルと密着し、レバーを掛止部へ固定することで、弾性体の回動部とパネルの密着を保持し、水の侵入を防止できることを特徴とする表示装置の防水構造。
【請求項２】
弾性体の断面形状が、矩形または突起形状であることを特徴とする請求項１に記載の表示装置の防水構造。
【請求項３】
弾性体を中空構造とすることを特徴とする請求項１又は２に記載の表示装置の防水構造。
【請求項４】
前記弾性体の溝に替えて、蝶番を用いたことを特徴とする請求項１から３いずれか１項に記載の表示装置の防水構造。
【請求項５】
パネルの背面にも弾性体を設け、パネルを弾性体で挟持することを特徴とする請求項１から４いずれか１項に記載の表示装置の防水構造。
【請求項６】
弾性体の固定位置を、枠内面の側面４ｂにしたことを特徴とする請求項１または３に記載の表示装置の防水構造。
【発明の詳細な説明】
【技術分野】
【０００１】
本発明は、広告紙等を表示する表示装置の防水構造に関する。
【背景技術】
【０００２】
従来、普通紙のポスターなどの場合は風雨等の自然環境による劣化を防止するためには、例えば２枚の透明樹脂パネルの内、１枚のパネルに凹状の溝を加工しパッキンを入れ、その周りにネジ穴を加工し間に広告などの掲示物を挟み、２枚の樹脂パネルをボルトで締め付けて防水対策を施したり、あるいは掲示物自体に劣化防止のための加工を施したりする必要がある。劣化防止の加工方法としては、掲示物全面のラミネート加工、あるいは、掲示物全体を透明ビニールケースに収納する方法などが提案されているが、大型のパネルの場合、前記加工のコストアップと作業性の悪さが問題となっていた。
【０００３】
また実開昭５６―９９５７６号には透明部材からなるポスターパネル内に宣伝・広告などの掲示物を収容すると共に、このポスターパネルを外枠にスライド式に着脱自在に挿着しポスターの交換作業が容易に行われる技術が記載されているが、防水性については考慮されておらず、例えば普通紙での掲示の場合、風雨等の自然環境による劣化を防止するためには、掲示物に劣化防止のための加工を施す必要がある。
【先行技術文献】
【特許文献】
【０００４】
【特許文献１】実開昭５６―９９５７６号（請求の範囲、図１、２）
【発明の概要】
【発明が解決しようとする課題】
【０００５】
看板等に代表される表示装置は、屋外などの環境条件の厳しいところに掲示されることが多く、特に降水時などは、雨水の侵入により、主に紙で作成される広告などは、広告紙のしわの発生や、インクのにじみなどとなり、広告として使用に耐えないものとなってしまうことが実情であり、広告などの掲示物に加工等を施すことなく、表示パネル内の広告紙の交換作業性を損なわずに、表示パネルの防水性を向上させることを課題とする。
【課題を解決するための手段】
【０００６】
表示パネルの少なくとも天面及び両側面を枠で固定し、両側面の枠が断面形状コの字型で、枠内にパネル固定用の弾性体を設けた表示装置において、パネル両側面の枠内部に設ける弾性体により、パネルと弾性体が密着され、水の侵入を防止するものであるが、具体的には、パネル両側面の枠内に設ける弾性体の断面形状を略半円形とし、平面部を枠への固定部として枠内の固定面へ固定し、弾性体の長手方向であって、前記平面部と平行に溝を設けることで、溝底部を支点に回動可能とし、溝の回動部側の面にプレートを取り付け、プレートの一端にレバーを設けて、枠の背面側又は裏ふたに、レバーの掛止部を設け、レバーを回動させると弾性体の溝底部を支点に弾性体が回動して、弾性体の回動部がパネルに密着し、レバーを掛止部へ固定することで、弾性体の回動部とパネルの密着を保持し、水の侵入を防止できることを特徴としている。
【０００７】
弾性体の固定位置を変えることにより、回動角が大きくとれることや、溝に替わる回動手段として蝶番を利用することも可能である。
【発明の効果】
【０００８】
本発明の防水構造を用いた表示パネルは、パネル内への水の侵入を防止し、表示パネル内に挟持した、広告の劣化を防止するため、特に降水時の広告に与えるダメージを抑制し、掲示物の劣化による交換作業を減少させることが可能となる。
【０００９】
本発明の防水構造は、弾性体を移動させることで、パネルと弾性体を密着させ、同時にパネルの固定も兼ねるものであるため、パネルの着脱作業も簡易的に行うことが可能となる。
【図面の簡単な説明】
【００１０】
【図１】弾性体の一例を示す平面図
【図２】弾性体の一例を示す斜視図
【図３】プレートの一例を示す斜視図
【図４】レバーの一例を示す斜視図
【図５】防水構造の一例を示す斜視図
【図６】略半円状弾性体での一例の防水構造の平面図
【図７】略半円状弾性体での一例の防水状態の平面図
【図８】中空弾性体での一例の防水構造の平面図
【図９】中空弾性体での一例の防水状態の平面図
【図１０】矩形弾性体での一例の防水構造の平面図
【図１１】矩形弾性体での一例の防水状態の平面図
【図１２】突起形状弾性体での一例の防水構造の平面図
【図１３】突起形状弾性体での一例の防水状態の平面図
【図１４】側面に弾性体を固定した一例の防水構造の平面図
【図１５】側面に弾性体を固定した一例の防水状態の平面図
【図１６】蝶番を用いた一例の防水構造の平面図
【図１７】蝶番を用いた一例の防水状態の平面図
【図１８】背面に弾性体を用いた一例の防水構造の平面図
【図１９】背面に弾性体を用いた一例の防水状態の平面図
【図２０】壁に設置した一例の防水構造の平面図
【図２１】壁に設置した一例の防水状態の平面図
【図２２】表示装置の斜視図
【発明を実施するための形態】
【実施例１】
【００１１】
本発明の詳細について、図面を引用して説明する。
【００１２】
図２２は、一般的な表示装置の構造を示すものである。
表示パネルの天面、底面、及び両側面を枠で固定し、両側面の枠を表示パネルよりも長く下方に伸ばし、両側面の枠の低部には、枠を固定する脚部を設ける構造のものである。
表示部は、広告などの掲示物を背面と表面のパネル２枚を用いて挟持し、掲示物を可視する面のパネルには、透過性のあるパネルを用いている。断面形状コの字型の側面枠の内部に弾性体を設け、枠と弾性体でパネルを挟持して、パネルを固定するものもある。防水構造については、パネルと枠の間をシール材などで埋めるか、掲示物に防水加工を施すことが一般的である。
【００１３】
本発明の防水構造は、パネル両側面の枠内部に設ける弾性体により、パネルと弾性体を密着させ、水の侵入を防止するものであるが、弾性体の構造に特徴があり、簡易操作でパネルの着脱が可能で、高い防水効果が得られると同時に、パネルの固定も兼ねるものである。
【００１４】
弾性体２０は、パネルの側面の長さと同程度とし、少なくとも弾性体の一面に平面部を設け枠への固定部とし、平面部の巾は弾性体の巾と同程度とする。弾性体の長手方向であって、前記平面部と平行に溝５を設ける。溝を設ける位置は、前記平面部からの厚さを、弾性体の厚さＬの１５％〜２５％確保し、溝巾は弾性体の厚さＬの２０％〜３０％とし、溝の深さは溝底部５ａの厚さが、弾性体の厚さＬの２０％〜３０％確保されることが望ましい。弾性体の各部名称として、溝を中心に、平面部を設けた方を固定部７とし、もう一方を回動部６とする。前記溝底部５ａが、後述する回動部の支点となる。図１は弾性体の一例を示す平面図、図２は弾性体の一例を示す斜視図である。
【００１５】
前記溝内の回動部側の面には、平板状のプレートを取り付ける。平板状のプレート９は、弾性体よりやや長めとし、巾は溝の深さと同程度とすることが望ましく、厚さは数ミリメートルとするが、プレートの長さ及び使用する材質により、強度が確保される厚さを確保することが望ましい。ここで確保する強度は、主に捻じれに対する強度である。プレートの材質は、サビを考慮するとステンレスが望ましいが、それ以外の金属又は樹脂等でも、強度が確保できるものであればよい。図３はプレートの一例を示す斜視図である。
【００１６】
前記プレートの一端には回動用のレバー８を設ける。レバー８の形状は、平板状で必要に応じて曲げ角及び持ち手部を設ける。レバーの一端はプレートと接合し、もう一方は、枠又は背面に設ける掛止部１３に掛けて固定する。レバーの材質は、サビを考慮するとステンレスが望ましいが、それ以外の金属又は樹脂等でも、強度が確保できるものであればよい。図４はレバーの一例を示す斜視図である。
【００１７】
前記の形状に加工した弾性体を、パネル左右の側面の枠内に固定する。
例えば、枠の断面形状がコの字型の場合、枠内面の名称をパネルが接する面をパネル面４ａ、パネル面に対向する弾性体取り付け面を固定面４ｃ、残りの面を側面４ｂとし、弾性体の取付け位置については、枠内の固定面４ｃに固定し、左右の枠それぞれに対称に取付ける。固定には接着剤を用いることが望ましい。本実施例では、弾性体の断面形状として、略半円形のものを用いている。図５は防水構造の一例を示す斜視図、図６は略半円形状弾性体での一例の防水構造の平面図である。また、前記弾性体はパネルの前面に取り付けているが、弾性体をパネルの裏面に取り付け、回動レバーの掛止部をパネルの前面側に取り付けてもよい。例えば、作業者がパネルの前面側に居る場合、回動レバーの掛止め操作が容易となる利点がある。
【００１８】
固定された弾性体２０は、枠内に配置されたパネルの表面側へ向けて、溝底部５ａを支点として回動し、パネルと密着する。弾性体の回動には、プレート９に取付けられたレバー８を用い、弾性体がパネルへ密着した位置を保持するため、レバーの先端を枠に設けた掛止部１３へ掛ける。
弾性体の回動部６からの水の侵入は、パネルとの密着部で防止でき、弾性体固定部からの水の侵入は、接着された枠と弾性体固定部で防止する。仮に固定部に隙間等があり、水が浸入したとしても、弾性体回動部と枠内の側面４ｂとが密着することで、パネル側への水の侵入を防止する。図７は略半円形状弾性体での一例の防水状態の平面図である。
【００１９】
本構成は、弾性体が回動してパネルと密着し、弾性体の押圧力により圧着されるため、パネル保持の役割も果たしている。パネルの脱着も、レバー８の開閉により、弾性体とパネルとの密着及び開放を行うため、操作も非常に容易となる。
また、回動部の強度を補強するために、プレートの両端に蝶番を設けてもよい。
【００２０】
弾性体の断面形状は略半円形が望ましいが、矩形または突起形状など、これに限定するものではなく、パネル面及び枠の側面に弾性体が接触する形状であればよい。
図８は中空弾性体での一例の防水構造の平面図、図９は中空弾性体での一例の防水状態の平面図、図１０は矩形弾性体での一例の防水構造の平面図、図１１は矩形弾性体での一例の防水状態の平面図、図１２は突起形状弾性体での一例の防水構造の平面図、図１３は突起形状弾性体での一例の防水状態の平面図である。
【００２１】
弾性体の材質は、ゴム系材の天然ゴム、合成ゴム、シリコーンゴム、ウレタンゴムなど、スポンジ系材のＣＲゴムスポンジ、シリコーンゴムスポンジ、フッ素ゴムスポンジなどを利用することができる。更には、弾性体の回動部を中空にすることで、柔軟性を持たせ密着性を向上させることも可能である。中でもＣＲ（クロロブレンゴム）はスポンジ特有の柔軟性とクッション性があり、単独気泡スポンジであることと、押し出しスポンジ成型品特有の薄い皮膜に覆われていることで水や空気を通しにくいシール性も持ち合わせており、パネル表面に対する面接触に於ける密着性に優れ、溝の加工時の押し出し成形が容易であるなどの利点がある。弾性体の硬度としては、硬度１５〜２０が適している。但し、図１２に示す突起形状の場合は、硬度５０〜６０前後が適している。
【００２２】
側面枠４の断面形状は、コの字型が望ましいが、枠の内面として、パネル面４ａ、固定面４ｃ、側面４ｂの３面を備えていればよい。例えば、壁などに掲示する表示装置であった場合は、壁面をパネル面として、枠側は固定面と側面を有した、断面形状でＬ字型でもよい。図２０はＬ字枠を利用した一例の防水構造の平面図、図２１はＬ字枠を利用した一例の防水状態の平面図である。
【００２３】
弾性体をパネルに密着する押圧力は、溝の開閉角度により調整が可能である。調整方法としては、プレートの一端に取付けたレバーの曲げ角度を変えることで、溝の開閉角度を任意に調整することができる。この場合、レバーの長さや掛止部の位置調整が必要なこともある。
【実施例２】
【００２４】
弾性体２０の取り付け位置を、枠内面の側面４ｂに固定してもよい。
この場合、弾性体の回動角が大きく取れ、パネルへの密着性を高めることや、パネルへの押し圧力を強くすることが可能となる。図１４は側面に弾性体を固定した一例の防水構造の平面図、図１５は側面に弾性体を固定した一例の防水状態の平面図である。
【実施例３】
【００２５】
弾性体に溝を設けず、蝶番を回動の支点として用いてもよい。この場合、蝶番と蝶番を固定する枠との隙間から、水が浸入し易くなるため、弾性体の回動部６がパネル面と枠内の側面４ｂと密着するように固定することが望ましい。図１６は蝶番を用いた一例の防水構造の平面図、図１７は蝶番を用いた一例の防水状態の平面図である。
【実施例４】
【００２６】
パネルの背面に弾性体を設け、パネルを弾性体で挟持するようにしても良い。
この場合、弾性体がパネルの表面を押圧すると、その圧力は背面の弾性体にも圧力が加わり、パネル両面からの水の浸入と、背面の弾性体と枠間からの水の侵入を防止することが可能であるが、背面に設ける弾性体と枠とが密着し、水が浸入しないように接着してもよい。図１８は背面に弾性体を用いた一例の防水構造の平面図、図１９は背面に弾性体を用いた一例の防水状態の平面図である。
【産業上の利用可能性】
【００２７】
本発明の防水構造を備えた表示装置は、工業生産が可能で、本表示装置を用いて主に店舗等での販促活動に利用が可能である。
【符号の説明】
【００２８】
１．表面パネル
２．背面パネル
３．上部枠
４．側面枠
4a.
パネル面
4b.
側面
4c.
固定面
５．溝
5a.
溝底部
６．弾性体の回動部
７．弾性体の固定部
８．レバー
９．プレート
１０．裏ふた
１１．接着剤
１２．広告紙
１３．掛止部
１４．蝶番
１５. 下部枠
１６．本体台座
１７．車輪用台座
１８．車輪
１９．背面用弾性体
２０．弾性体
Ｌ．回動部の厚さ
Ｌ２．弾性体の巾
【図１】
2014044241.tif 000003
【図２】
2014044241.tif 000004
【図３】
2014044241.tif 000005
【図４】
2014044241.tif 000006
【図５】
2014044241.tif 000007
【図６】
2014044241.tif 000008
【図７】
2014044241.tif 000009
【図８】
2014044241.tif 000010
【図９】
2014044241.tif 000011
【図１０】
2014044241.tif 000012
【図１１】
2014044241.tif 000013
【図１２】
2014044241.tif 000014
【図１３】
2014044241.tif 000015
【図１４】
2014044241.tif 000016
【図１５】
2014044241.tif 000017
【図１６】
2014044241.tif 000018
【図１７】
2014044241.tif 000019
【図１８】
2014044241.tif 000020
【図１９】
2014044241.tif 000021
【図２０】
2014044241.tif 000022
【図２１】
2014044241.tif 000023
【図２２】
2014044241.tif 000024